(57)【要約】【課題】  従来の女性用下着としてのペティコート、また外着としてのスカートは、一般的に上下方向に筒状をなすシンプル構成であるため、精々切替え部を設けてデザインに変化を付け、或いは模様、色彩、アップリケなどを施して華やかさを表すのみによってしか趣向を凝らす手段がなく、また巻きスカートにおいても和服風の打合せ部に趣があるものの、立ち居振る舞いに打合せ部が開（はだ）けて下着および股間が露出するため、被着時の動きに制約があった。【解決手段】  上下方向の筒状をなし、ウエスト部２にゴム帯４ａなどの締着部材４を設けた裾拡がりの胴側本体１の一方の脇部１ｃに、胴側本体１の前身頃１ａの幅および丈に相当する寸法を有する添え片体３の一側辺（基辺）を連続させて設け、該添え片体３を前身頃１ａに添わせてボタン５ａとボタン穴５ｂ、さらには結い紐５ｃ，５ｃなどの留め部材にて、添え片体３の他側辺（端辺）上方を胴側本体１の他方の脇部１ｄ上方に着脱可能に固着すべくして下着としてのペティコートＡを構成する。【選択図】      図１
0003101650.tif 000002
【実用新案登録請求の範囲】
【請求項１】
上下方向の筒状に形成した胴側本体と、該胴側本体の一方の脇部に一側辺を連続させた胴側本体の後身頃に略相当する幅および丈を有する添え片体とから成り、胴側本体の上縁のウエスト部に身体腰部に被着固定させる締着部材を設けると共に、添え片体の他側辺上方と胴側本体の他方の脇部付近上方に、互いを着脱可能に固着する相対せる留め部材を設けて成る女性用下着または外着。
【請求項２】
前記胴側本体は、下方で左右の足入れ部を有するキュロット状に形成して成る請求項１に記載の女性用下着または外着。
【請求項３】
前記締着部材は、ウエスト部の全周または一部に伸縮自在のゴム帯を添設して成る請求項１または２に記載の女性用下着または外着。
【請求項４】
前記締着部材は、ウエスト部に切開部を設け、該切開部に相対するボタンおよびボタン穴を設けて成る請求項１または２に記載の女性用下着または外着。
【請求項５】
前記留め部材は、胴側本体および添え片体に相対して設けた結い紐から成る請求項１乃至４のいずれかに記載の女性用下着または外着。
【請求項６】
前記留め部材は、胴側本体および添え片体に相対して設けたボタンおよびボタン穴から成る請求項１乃至４のいずれかに記載の女性用下着または外着。
【考案の詳細な説明】
【技術分野】
【０００１】  この考案は、下半身に纏う下着としてのペティコート、腰巻、また外着としてのスカートなど女性用被服に関する。
【背景技術】
【０００２】  従来の下着としてのペティコートでは、適当な寸法の丈と胴回りを有する上下方向の筒状をなす胴側体の上縁部上にゴム帯等の伸縮部材を添着したもの（実開平７−３１８０６号公報）が一般的で、巻き状、また左右に足入れのあるキュロット状（実開平６−８５３０５号公報）などのものがある。【０００３】  外着としてのスカートでは、一般的な筒形状のスカートの上口縁にベルト部を設けたもの（実用新案登録第３０７２８２６号公報）のほか、腰巻のように適当な寸法の丈と幅を有する一枚の横長のスカート本体の上辺両端部に、相対する紐を取付けた巻スカート（実用新案登録第３０７３１７３号公報）、同じく巻きスカートの腰部に面ファスナーを設けたもの（実用新案登録第３０７１１８７号公報）、同様の横長のスカート地の上部に伸縮自在のベルトを挿通したスカート（特開２０００−１７８８０６号公報）等が提案されていて、いずれもスカート本体（スカート地）の上辺部（上部）を被着者の腰の回りに巻き付けて、互いの両側辺を重ね合わせ着用する、所謂巻きスカートがある。
【考案の開示】
【考案が解決しようとする課題】
【０００４】  このように従来の下着としてのペティコートは、スカートなど外着の構造によって各種提供されているものの、筒状のものではデザイン的に変化の少ないシンプル構造であるため、精々レース、リボンなどの装飾を施す程度の改良でしか趣味性を生かす余地がなかった。【０００５】  また、キュロット状ペティコートにおいても、下着としての二股シンプル構造から、筒状ペティコート同様に趣味性の改良余地は少ないものであった。【０００６】  外着としてのスカートにおける筒状構造、またはキュロット状の二股構造にあっても、基本的なタイト、フレア、プリーツ構造に加え、切替え部を設けてアクセントを付けるか、さらにロングまたはミニと丈寸法に変化をもたせるなどシルエットを重視した構造のものが殆どであった。【０００７】  また、胴回り部に融通をもたせる腰巻構造の巻きスカートにあっては、下半身に巻いた打合せ部の合わせ幅の設定が、穿き心地に影響するため難しく、その合わせ幅が大きい時は打合せ部の収まりが良い反面、裾捌きが悪く、合わせ幅の小さい時には裾捌きは良好であるものの、座る、腰掛けるなどの立ち居振る舞いにスカートの打合せ部の裾が開いて上方に及び、下着、股間が露出するなど着用時の動きに制約があった。
【課題を解決するための手段】
【０００８】  この考案の女性用下着または外着は、上記課題を解決し、趣味性を発揮させると共に、動き良さと穿き心地の良さを備えた女性用被服を実現するため、上下方向の筒状に形成した胴側本体と、該胴側本体の前身頃または後身頃に略相当する寸法の幅と丈、特に幅寸法を前身頃または後身頃より短く、或いは長くした添え片体を一連に結合して成り、胴側本体の上縁のウエスト部上に身体腰部に被着固定させる締着部材を設け、添え片体の一側辺（基辺）を胴側本体の一方の側辺（脇部）に連続させると共に、添え片体の他側辺（端辺）上方を胴側本体の他方側辺（脇部）付近上方に着脱可能に固着する相対せる留め部材を設けて成ることを特徴とする。【０００９】  また、胴側本体を左右の足入れ部を有する裾拡がりの二股状に形成し、該胴側本体の前身頃または後身頃の幅および丈に略相当する寸法の添え片体の一側辺（基辺）を、前記胴側本体の一方の側辺（脇部）に一連に接続させ、他側辺（端辺）の上方を胴側本体の他方側辺（脇部）付近上方に着脱可能に固着する相対せる留め部材を設けて女性用下着または外着を構成することもできる。【００１０】  着用時に、添え片体は連続させた一側辺（基辺）を軸に胴側本体の前身頃に添わせ、上方に設けた一方の留め部材を胴側本体の相手側辺（脇部）付近、即ち脇部、または前身頃か後身頃に及ぶ上方部分に設けた他方の留め部材に結合固着し、添え片体の他側辺（端辺）裾部を開放せるフリー状態にし、それでいて胴側本体により打合せ部が開（はだ）けて下着または股間部の露出することがない。【００１１】  この添え片体は主として前身頃側に覆い添わせるものであるが、趣によっては後身頃側に覆い添わせて胴側本体の相手側辺部（脇部）において結合固着することも可能である。【００１２】  胴側本体の締着部材として、胴側本体の筒径、特に上縁のウエスト部を寸法的または伸縮性生地により余裕あるものとし、その全周または一部に伸縮自在のゴム帯を添着することにより、被着時に伸縮自在の上縁部が身体腰部に締着固定する。【００１３】  上縁部に切開部を設けることにより、胴側本体の上縁ウエスト部を余裕あるものにし、該切開部の両切開辺上に相対するボタンおよびボタン穴を設け、被着時にこれら締着部材を結合させて胴側本体のウエスト部を腰部に締着固定させる。
【考案の効果】
【００１４】  下着および外着として、添え片体の留め部材下方が和服の打合せ裾部のような趣味性を醸し出して、着用時の立ち居振る舞い時に添え片体の留め部材裾部の裏地が捲れ見え、これが裏地の共生地または異質生地に拘わらず動作時のアクセントとなって、下着および外着の前記趣味性を大いに掻き立て、着用意欲をそそるものである。【００１５】  その上、着用時の立ち居振る舞い時に、添え片体の留め部材裾部が必要以上に開（はだ）け捲れることがあっても、胴側本体により下着または股間部が妄りに露出することを防ぐため、屈んだり座ったりする際に添え片体の裾部の前記乱れを心配することなく落ち着いて振る舞うことができる効果がある。
【考案を実施するための最良の形態】
【００１６】  この考案の実施における最良の形態を下着としてのペティコートにて説明すると、図１〜４において、素材または編成組織により多方向に伸縮性を有する生地を用いて、裾拡がりの台形に裁断した一対の前身頃１ａおよび後身頃１ｂを、上下方向の筒状とした裾拡がりの胴側本体１に形成すべく互いの両側辺を縫合するについて、図１に示すように胴側本体１の前身頃１ａまたは後身頃１ｂに相当する幅および丈を有する添え片体３の一側辺（基辺）を、右側の側辺同士を縫合する脇部１ｃに共に縫い付け連続させて成り、胴側本体１の上縁のウエスト部２の内側全周に伸縮自在のゴム帯４ａから成る締着部材４を縫着すると共に、図２，３に示すように身体７への被着時に添え片体３を胴側本体１の前身頃１ａ面に添い着けるため、胴側本体１の左側の脇部１ｄの上方と切り放し状の自由な添え片体３の他側辺（端辺）上方とに、相対するボタン５ａおよびボタン穴５ｂ、さらに飾りを兼ねる結い紐５ｃ，５ｃから成る留め部材５を設けて互いの上方を着脱可能に結合固定すべくし、添え片体３の他側辺（端辺）裾部が開放せるフリー状態に被着できるようペティコートＡを構成する。【００１７】  添え片体３の前身頃１ａの接する面に絵柄または色彩を施した裏地３ｂを全面または他側辺（端辺）寄りに添着することにより、被着時に添え片体３のフリー状態の裾部が身体の動きで捲れて、表面と異なる裏地３ｂが僅かに見えるべく作用し、これが単純な下着における快いアクセントとなって穿く者の趣味性意欲を向上させ、購買意欲をそそるものである。【００１８】  胴側本体１の前身頃１ａの外側面にポケット６を設けて使い捨てカイロ（発熱材）などを安定良く装填し、且つ添え片体３で覆うことにより、使い捨てカイロ（発熱材）が露出することなく体裁良く、しかも落下の虞れなく安全に固定させることができるため、被着時に安心して下腹部または腰部を温めて下半身の冷えを防ぐことができ、夏期の冷房、また冬期の寒さによる体調不良を有効に整えることができる。【００１９】  添え片体３は切り離し状にフリーな側辺（端辺）寄りの一部裏側、即ち胴側本体１の前身頃１ａに接する面（裏面）側を、表側と対照的な色彩または模様を施した生地を配することにより、この考案が所期する趣味性豊かな作用効果が得られるものである。【００２０】  胴側本体１と添え片体３とを固定する留め部材５として、前記ボタン５ａ，ボタン穴５ｂ，結い紐５ｃ，５ｃなどのほか、図４に示すように雌雄一対の面ファスナー５ｄ，５ｄを相対して取付け、添え片体３上方部を胴側本体１のウエスト部２に着脱可能に固定することも可能である。【００２１】  また、下着における胴側本体１のウエスト部２に設ける締着部材４にあっても、上記で説明したゴム帯４ａのほか、図面を省略（後述のスカートにおいて説明）したが、切開部を設けてボタン、ホック、ファスナー、面ファスナーなど従来用いられている任意の締着部材により身体７のウエストに締着固定させることも可能である。【００２２】  胴側本体１の前後身頃１ａ，１ｂ上部のウエスト部２付近に適宜ダーツまたはギャザー１ｅ，１ｅを設けることにより、穿き心地をさらに良くし、ウエストラインを美しく見せることができる。【０���２３】  胴側本体１および添え片体３は、上記で説明した伸縮性ある生地のほか、伸縮性のない滑りの良いサテン生地など従来下着に用いられている各種の生地を用いて構成されるものである。
【実施例】
【００２４】  次に、外着としてのスカートにおける実施例を図５〜７を用いて説明すると、スカートＢに適した生地を用いて下半身の身幅に応じた幅と膝丈より少し長い丈を有する僅かに裾広とした一対の前後身頃１ａ，１ｂを形成し、該前後身頃１ａ，１ｂの相対する互いの側辺同士を縫合して上下方向の筒状の胴側本体１に形成するについて、胴側本体１と同じ生地から成り、この前身頃１ａまたは後身頃１ｂに相当する幅および丈を有する添え片体３の一側辺（基辺）を、右側の側辺同士を縫合する脇部１ｃに共に縫い付け連続させると共に、胴側本体１の筒状上縁部にベルト２ａを取付けてウエスト部２を形成し、添え片体３の上縁部に取付けたベルト３ａを前記ウエスト部２のベルト２ａに一連に取付け、左側の側辺同士を縫合した脇部１ｄ上のウエスト部２と添え片体３のベルト３ａ端辺上方に相対するボタン５ａおよびボタン穴５ｂから成る留め部材５を設けてスカートＢを構成する。【００２５】  前記下着としてのペティコート同様に、添え片体３の前身頃１ａの接する面に表地とは異なる絵柄または色彩を施した裏地３ｂを全面または他側辺（端辺）寄りに添着することにより、被着時に添え片体３のフリー状態の裾部が身体の動きで捲れることで表面と異なる裏地３ｂが僅かに見えるべく作用し、これが快いアクセントとなってスカートに和服のような雰囲気を醸し出し、穿く者の趣味性意欲を大いに掻き立てて購買意欲をそそるものである。【００２６】  胴側本体１の後身頃１ｂ上のウエスト部２には、後身頃１ｂにベルト２ａから打合せ状の切開部２ｂを設け、ボタン４ｂ、ボタン穴４ｃ（図７参照）に加え、ファスナー４ｄ（図５，６参照）から成る締着部材４を取付けることにより、被着する際に、これら締着部材４を解いてウエスト部２を大きく開けることができ穿き易いと共に、締着部材４の閉鎖後はスカートＢのウエスト部２が身体のウエストに密着して安定良く定着する。この締着部材４として結い紐（図示省略）を用いて、前記切開部２ｂを閉鎖締結させることもできる。
【実施例】
【００２７】  さらに、図８に示すように胴側本体１の筒部を途中から左右の足入れ部１ｆ，１ｆを有する裾拡がりの二股状に形成し、該胴側本体１の股部を有する前身頃１ａまたは後身頃１ｂの幅および丈に略相当する寸法の添え片体３の一側辺（基辺）を、前記胴側本体１の右側辺の脇部１ｃに一連に縫い付けて接続させ、他側辺（端辺）の上方を胴側本体１の左側辺部の脇部１ｄ上方であるウエスト部２に着脱可能に固着するボタン５ａとボタン穴５ｂから成る相対せる留め部材を設けて女性用外着としてのスカートＢを構成することができ、行動的なキュロットスカートでの特に正面（前面）に添え片体３による趣のある優しい雰囲気を醸し出す作用効果がある。このキュロット構造の効果は下着としてのペティコートにおいても同様である。【００２８】  上記実施例では、その記載から胴側本体１をタイトおよびキュロット構成のスカートについて説明したが、フレア、プリーツス、その他の構成のスカート胴側本体１においても実施することができることは勿論で、添え片体３は各種構成の胴側本体１と異なる生地にて構成することは任意である。【００２９】  さらに、添え片体３の幅および丈寸法、特に幅寸法は前身頃１ａまたは後身頃１ｂのそれより短くても長くても良く、また図面は省略したが、添え片体３の一側辺（基辺）を後身頃１ｂまたは前身頃１ａの一方側辺に連続させた延長状態に裁断し、前身頃１ａまたは後身頃１ｂの一方側辺に相当する部分および他方側辺を縫合して両脇部１ｃ，１ｄを有する胴側本体１を形成し、切り放し延長状態の添え片体３の他側辺（端辺）を胴側本体１に添着することもできる。【００３０】  また、この考案においてペティコートＡおよびスカートＢの胴側本体１の裾辺にスリット、打合せ状のベンツなどの切込みを設けて、これら下着および外着の胴側本体１における裾捌きを良くし、歩行は勿論、立ち居振る舞いの動作をし易くすることもできるものである。
【図面の簡単な説明】
【００３１】
【図１】この考案を実施せる下着としてのペティコートの展開状態を示す正面斜視図である。
【図２】ペティコートの正面斜視図である。
【図３】ペティコートの着用状態を示す正面斜視図である。
【図４】ペティコートの他の実施例を示す一部斜視図である。
【図５】この考案を実施せる外着としてのスカートートの展開状態を示す正面斜視図である。
【図６】スカートの正面斜視図である。
【図７】スカートのウエスト部における他の実施例を示す一部斜視図である。
【図８】スカートの他の実施例を展開状態で示す正面斜視図である。
【符号の説明】
【００３２】１    胴側本体
１ａ  前身頃
１ｂ  後身頃
１ｃ，１ｄ  脇部
１ｆ  足入れ部
２    ウエスト部
２ｂ  切開部
３    添え片体
４    締着部材
４ａ  ゴム帯
４ｂ  ボタン
４ｃ  ボタン穴
５    留め部材
５ａ  ボタン
５ｂ  ボタン穴
５ｃ  結い紐
７    身体
【図１】
0003101650.tif 000003
【図２】
0003101650.tif 000004
【図３】
0003101650.tif 000005
【図４】
0003101650.tif 000006
【図５】
0003101650.tif 000007
【図６】
0003101650.tif 000008
【図７】
0003101650.tif 000009
【図８】
0003101650.tif 000010